(57)【要約】【課題】照明ユニットのコンパクト化を図ることができ、照明ユニットを複数連接する場合には、各照明ユニットの明るさを低下させずに容易に照明ユニットを連接することができ、かつ照明ユニット間における明るさのバラツキを低減させることができる照明装置を提供する。【解決手段】照明装置１は、電源ユニット２と複数の照明ユニット３とから構成されている。電源ユニット２は、交流を全波整流して直流電流或いは脈流電流を取り出す整流回路２６を備えている。照明ユニット３は、入力端子３２及び送り端子（出力端子）３４に接続された主配線３６と、主配線３６から分岐した分岐配線３７と、分岐配線３７に介装された複数のＬＥＤ３８と、ＬＥＤ３８に一定電流を流すための定電流回路３９とを備えている。【選択図】図３
2005123178.tif 000002
【特許請求の範囲】
【請求項１】
交流電源から供給される交流を脈流または直流に変える整流回路と、前記脈流または直流を出力する出力端子とを備えた電源ユニットと；
ユニット本体と、前記ユニット本体に配設された入力端子及び送り端子と、両端子間に電気的に接続された定電流回路と、前記定電流回路の出力により点灯する照明用の半導体発光素子とを備え、前記電源ユニットに電気的に接続可能に構成された照明ユニットと；
を具備することを特徴とする照明装置。
【請求項２】
他のユニット本体に対向する対向面を有するとともに前記対向面と並行する方向に配設された出力端子を備え、交流電源から供給される交流を直流に変換する直流化回路を内蔵してなる電源ユニットと；
電源ユニットの前記対向面に対向する第１対向面を有するとともに前記第１対向面と並行する方向に配設された入力端子、および他のユニット本体に対向する第２対向面を有するとともに前記第２対向面と並行する方向に配設された出力端子を備えたユニット本体と、前記電源ユニットに電気的に接続された定電流回路と、前記定電流回路の出力により点灯する照明用の半導体発光素子とを備え、前記電源ユニットの対向面と前記第１の対向面と面方向に移動することにより電気的に接続するように構成された照明ユニットと；
を具備することを特徴とする照明装置。
【発明の詳細な説明】
【技術分野】
【０００１】
本発明は、照明ユニットを備えた照明装置に関する。
【背景技術】
【０００２】
従来から、複数の照明ユニットを繋げて使用する照明装置が知られている（特許文献１参照）。このような照明装置は、照明ユニットを繋げて使用するので、照明ユニットを個別に電源に接続する必要がなく、作業性の向上及び省スペース化を図ることができる点で優れている。
【０００３】
このような照明装置は、照明ユニットと各照明ユニットに電力を供給するための電源ユニットとから構成されている。電源ユニット内には各照明ユニットに流す電流を制御するための電流制限回路が備えられている。ここで、各照明ユニットは並列接続されて使用される。このため、電流制限回路を形成する際には、照明ユニットの個数を考慮して電流容量を予め定める必要がある。
【特許文献１】特開２００２−１６３９０７号公報
【発明の開示】
【発明が解決しようとする課題】
【０００４】
しかしながら、照明ユニットにおける入力端子及び送り端子は、安全規格上の絶縁距離を確保するために大きなものが使用されており、照明ユニットが大型化している。また、電流制限回路を形成した後、必要に応じて照明ユニットの個数を増加させたいという要望があるが、上記の照明装置の各照明ユニットは、並列接続されているため、照明ユニットの個数を増加しようとすると、照明ユニットに所定の電流が流れなくなり、照明ユニット内に配置されたＬＥＤの明るさが低下してしまう。このようなことから、照明ユニットの個数を増加させる場合には、各照明ユニットに所定の電流が流れるように電流制御回路を調節しなければならず、多大な手間を要する。
【０００５】
本発明は、上記課題を解決するためになされたものである。即ち、照明ユニットのコンパクト化を図ることができ、照明ユニットを複数連接する場合には、各照明ユニットの明るさを低下させずに容易に照明ユニットを連接することができ、かつ照明ユニット間における明るさのバラツキを低減させることができる照明装置を提供することを目的とする。
【課題を解決するための手段】
【０００６】
請求項１記載の照明装置は、交流電源から供給される交流を脈流または直流に変える整流回路と、前記脈流または直流を出力する出力端子とを備えた電源ユニットと；ユニット本体と、ユニット本体に配設された入力端子及び送り端子と、両端子間に電気的に接続された定電流回路と、定電流回路の出力により点灯する照明用の半導体発光素子とを備え、電源ユニットに電気的に接続可能に構成された照明ユニットと；を具備することを特徴としている。
【０００７】
請求項１記載の照明装置によれば、照明ユニットのコンパクト化を図ることができ、照明ユニットを複数連接する場合には、各照明ユニットの明るさを低下させずに容易に照明ユニットを連接することができ、かつ照明ユニット間における明るさのバラツキを低減させることができる。
【０００８】
請求項２記載の照明装置は、他のユニット本体に対向する対向面を有するとともに前記対向面と並行する方向に配設された出力端子を備え、交流電源から供給される交流を直流に変換する直流化回路を内蔵してなる電源ユニットと；電源ユニットの前記対向面に対向する第１対向面を有するとともに前記第１対向面と並行する方向に配設された入力端子、および他のユニット本体に対向する第２対向面を有するとともに前記第２対向面と並行する方向に配設された出力端子を備えたユニット本体と、前記電源ユニットに電気的に接続された定電流回路と、前記定電流回路の出力により点灯する照明用の半導体発光素子とを備え、前記電源ユニットの対向面と前記第１の対向面と面方向に移動することにより電気的に接続するように構成された照明ユニットと；を具備することを特徴とする。
【０００９】
請求項２記載の照明装置では、電源ユニットおよび照明ユニットの連結方向と直交する方向から各ユニットを電気的に接続するものである。
【発明の効果】
【００１０】
請求項１記載の照明装置によれば、照明ユニットのコンパクト化を図ることができ、照明ユニットを複数連接する場合には、各照明ユニットの明るさを低下させずに容易に照明ユニットを連接することができ、かつ照明ユニット間における明るさのバラツキを低減させることができる。
【００１１】
請求項２記載の照明装置によれば、電源ユニットおよび照明ユニットの連結方向と直交する方向から各ユニットを電気的に接続するので、ユニットの配置領域が限られた空間に隙間なく配置することができる。
【発明を実施するための最良の形態】
【００１２】
以下、実施の形態について説明する。図１は本実施の形態に係る照明装置の模式的な斜視図であり、図２は本実施の形態に係る照明装置の模式的な分解斜視図である。図３は本実施の形態に係る電源ユニット及び照明ユニットの模式的なブロック図であり、図４は本実施の形態に係る照明ユニットの模式的な垂直断面図である。
【００１３】
図１〜図４に示されるように、照明装置１は、電源ユニット２と複数の照明ユニット３とから構成されている。電源ユニット２は後述する基板２４を覆うカバー２１を備えている。カバー２１の下面及び側面にはそれぞれ開口が形成されており、下面の開口の縁部には段部が形成されている。一方の側面の開口には商用交流電源コードＡＣに接続可能な入力端子２２が配置されており、他方の側面の開口には出力端子２３が配置されている。
【００１４】
カバー２１の段部には、基板２４が嵌め込まれている。基板２４の表面側には、一端が入力端子２２に接続され、かつ他端が出力端子２３に接続された２本の配線２５が形成されている。配線２５には、商用交流電源コードＡＣから供給される交流を全波整流して直流或いは脈流に変える整流回路２６が接続されている。整流回路２６は主に整流ブリッジ等から構成されている。
【００１５】
照明ユニット３は、互いに連接されている。照明ユニット３は、ユニット本体３０を備えており、ユニット本体３０は後述する基板３５を覆うカバー３１等から構成されている。カバー３１の上面、下面、及び側面にはそれぞれ開口が形成されており、下面の開口の縁部には段部３１ａが形成されている。
【００１６】
一方の側面の開口には入力端子３２及び位置合わせのためのガイド３３が配置されており、他方の側面の開口には送り端子（出力端子）３４が配置されている。入力端子３２及び送り端子（出力端子）３４の絶縁距離は入力端子２２の絶縁距離よりも小さくなっている。これは、電源ユニット２には、商用電源電圧を低圧の電源に変換する例えばチョッパ回路等が配設されているからである。
【００１７】
入力端子３２は、隣り合う照明ユニット３の送り端子（出力端子）３４に接続されている。このように入力端子３２と隣り合う照明ユニット３の送り端子（出力端子）３４とを接続することにより、照明ユニット３が連接される。なお、末端に位置する照明ユニット３の入力端子３２は電源ユニット２の出力端子２３に接続されている。
【００１８】
カバー３の段部３１ａには、基板３５が嵌め込まれている。基板３５の表面側には、一端が入力端子３２に接続され、かつ他端が送り端子（出力端子）３４に接続された2本の主配線３６が形成されている。
【００１９】
主配線３６には、主配線３６から分岐した分岐配線３７が接続されている。分岐配線３７は、一方の主配線３６と他方の主配線３６とに接続されている。分岐配線３７には、複数のＬＥＤ３８（半導体発光素子）及びＬＥＤ３８に一定電流を流すための定電流回路３９が介装されている。ＬＥＤ３８と定電流回路３９は、基板３５の表面側に実装されている。
【００２０】
本実施の形態では、３０個の表面実装型のＬＥＤ３８が基板３５に実装されている。ここで、ＬＥＤ３８は、５個のＬＥＤ３８が直列接続され、かつこの５つ直列接続されたものが６列並列接続されるように分岐配線３７に介装されている。ＬＥＤ３８上には、ＬＥＤ３８から発せられた光を集めるレンズ４０が配置されている。
【００２１】
本実施の形態では、電源ユニット２に整流回路２６が備え付けられているので、照明ユニット３のコンパクト化を図ることができる。即ち、整流回路２６により交流を脈流や直流にしているので、各照明ユニット３における入力端子３２及び送り端子（出力端子）３４の絶縁距離を小さくすることができる。これにより、各照明ユニット３における入力端子３２及び送り端子（出力端子）３４を小型化することができる。それ故、照明ユニット３のコンパクト化を図ることができる。
【００２２】
本実施の形態では、電源ユニット２に整流回路２６が備え付けられているので、照明ユニット３の大きさを従来の照明ユニットとほぼ同じ大きさにした場合にはＬＥＤ３８の配置スペースを確保しながら定電流回路３９の配置スペースを十分に確保することができる。即ち、ＬＥＤ３８の配置スペースを小さくすると、照明ユニット３から出射する光量が低下してしまうので、ある程度のＬＥＤ３８の配置スペースは確保しておく必要がある。
【００２３】
一方、上述したように電源ユニット２内に整流回路２６を備え付けた場合には入力端子３２及び送り端子（出力端子）３４を小型化することができるので、照明ユニット３の大きさを従来の照明ユニットとほぼ同じ大きさにした場合には各照明ユニット３において空きスペースを十分に確保することができる。そして、この空きスペースには定電流回路３９を配置することができるので、ＬＥＤ３８の配置スペースを確保しながら定電流回路３９の配置スペースを十分に確保することができる。
【００２４】
本実施の形態では、各照明ユニット３に定電流回路３９が備え付けられているので、各照明ユニット３の明るさを低下させずに容易に照明ユニット３を連接することができる。即ち、各照明ユニット３に定電流回路３９を備え付けることにより、照明ユニット３の個数を増加した場合であっても、各照明ユニット３内に流れる電流は一定となるので、定電流回路３９を調整する手間を省くことができる。それ故、照明ユニット３の明るさを低下させずに容易に照明ユニット３を連接することができる。
【００２５】
本実施の形態では、各照明ユニット３に定電流回路３９が備え付けられているので、照明ユニット３間における明るさのバラツキを低減させることができる。即ち、各照明ユニット３に定電流回路３９を備え付けることにより、照明ユニット３の個数を増加した場合であっても、各照明ユニット３内に流れる電流は一定となる。それ故、各照明ユニット３を同じ明るさで点灯させることができ、照明ユニット３間における明るさのバラツキを低減させることができる。
【００２６】
本実施の形態では、ＬＥＤ３８と定電流回路３９との両方が基板３５の表面側に実装されているので、効率良い放熱を行うことができ、ＬＥＤ３８の劣化及びＬＥＤ３８の配光特性の変化等を抑制することができる。即ち、ＬＥＤ３８と定電流回路３９との両方から発熱するので、ＬＥＤ３８が基板３５の表面側に実装され、定電流回路３９が基板３５の裏面側に実装されている場合には、基板３５に伝えられた熱は放熱され難い。その結果、ＬＥＤ３８の温度が上昇し、ＬＥＤ３８が劣化し易くなる。また、基板３５等に反りが発生してしまい、ＬＥＤ３９の配光特性が変化してしまう。これに対し、本実施の形態では、ＬＥＤ３８と定電流回路３９との両方が基板３５の表面側に実装されているので、放熱され易い。これにより、効率良い放熱を行うことができ、ＬＥＤ３８の劣化及びＬＥＤ３８の配光特性の変化等を抑制することができる。
【００２７】
次に、他の実施の形態について説明する。図５は、他の実施の形態に係る照明装置の模式的な斜視図であり、図６は本実施の形態に係る照明装置の模式的な分解斜視図である。なお、上述した実施の形態の照明装置と同一部分又は相当する部分については、同一符号を付して説明を省略する。
【００２８】
本照明装置５は、電源ユニット２および照明ユニット３で構成されている。電源ユニット２は、照明ユニット３のユニット本体３０に対向する対向面２ａを有するとともに、前記対向面２ａと並行する方向に配設された出力端子２ｃを備え、交流電源ＡＣから供給される交流を直流に変換する直流化回路（整流回路）２６を内蔵している。
【００２９】
照明ユニット３は、ユニット本体３０と照明用の半導体発光素子（ＬＥＤ）３８を具備している。ユニット本体３０は、電源ユニット２の対向面２ａに対向する第１対向面３ｂを有するとともに第１対向面３ｂと並行する方向に配設された入力端子３ｃ、および他の照明ユニットのユニット本体に対向する第２対向面３ｄを有するとともに第２対向面３ｄと並行する方向に配設された出力端子３ｅを備えている。
【００３０】
また、ユニット本体３０は、入力端子３ｃおよび出力端子３ｅ間に電気的に接続された定電流回路３９と定電流回路３９の出力により点灯する照明用ＬＥＤ３８とを備えている。
【００３１】
そして、電源ユニット２と照明ユニット３とは、電源ユニット２の対向面２ａと第１の対向面３ｂとを面方向に移動することにより電気的に接続するように構成されている。
【００３２】
したがって、本照明装置によれば、前記照明装置１の効果に加えて、電源ユニット２および照明ユニット３の連結方向と直交する方向から各ユニット２，３を電気的に接続することができるので、電源ユニット２および照明ユニット３の配置領域が限られた空間に隙間なく配置することができる。
【００３３】
なお、本発明は上記実施の形態の記載内容に限定されるものではなく、構造や材質、各部材の配置等は、本発明の要旨を逸脱しない範囲で適宜変更可能である。第１の実施の形態では、照明ユニットに供給する電圧を低下させていないが、電圧を低下させてもよい。この場合には、所定の電圧値に制御する電圧制御回路を電源ユニット２に備え付ける。
【図面の簡単な説明】
【００３４】
【図１】実施の形態に係る照明装置の模式的な斜視図である。
【図２】実施の形態に係る照明装置の模式的な分解斜視図である。
【図３】実施の形態に係る電源ユニット及び照明ユニットの模式的なブロック図である。
【図４】実施の形態に係る照明ユニットの模式的な構成図である。
【図５】他の実施の形態に係る照明装置の模式的な斜視図である。
【図６】他の実施の形態に係る照明装置の模式的な分解斜視図である。
【符号の説明】
【００３５】
１，５…照明装置、２２，３２…入力端子、２３…出力端子、２６…整流回路、３０…ユニット本体、３４…送り端子、３８…ＬＥＤ、３９…定電流回路。
【図１】
2005123178.tif 000003
【図２】
2005123178.tif 000004
【図３】
2005123178.tif 000005
【図４】
2005123178.tif 000006
【図５】
2005123178.tif 000007
【図６】
2005123178.tif 000008